(57)【要約】【課題】ユーザの所望の静止画像からスライドショー表示を行う。【解決手段】静止画用表示ボタンは、静止画像の表示に関する指令を受け付ける。記録読出制御部７２は、静止画像の表示中に、静止画像のスライドショー表示の指令が受け付けられた場合、複数の静止画像の画像データである静止画像データが、撮影順に記録されている記録部７３から、その表示中の静止画像に対応する静止画像データの次の静止画像データから、静止画像データを連続して読み出す。出力制御部９６は、表示中の静止画像に続けて、記録読出制御部７２により読み出される静止画像データに対応する静止画像を連続してディスプレイ部５５に表示させることにより、スライドショー表示を行う。本発明は、例えばビデオカメラに適用することができる。【選択図】図４
2007178839.tif 000002
【特許請求の範囲】
【請求項１】
複数の静止画像の画像データである静止画像データが、所定の順に記録されている記録媒体から、前記静止画像データを読み出す読出手段と、
前記読出手段により読み出された静止画像データに対応する静止画像を表示させる表示制御手段と、
前記静止画像の表示に関する指令を受け付ける静止画像用受付手段と
を備え、
前記読出手段は、前記静止画像の表示中に、前記静止画像用受付手段により、前記静止画像のスライドショー表示の指令が受け付けられた場合、その表示中の静止画像に対応する静止画像データの次の静止画像データから、前記静止画像データを連続して読み出し、
前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像を連続して表示させることにより、前記スライドショー表示を行う
表示制御装置。
【請求項２】
前記表示制御手段は、前記静止画像とともに、前記静止画像用受付手段を表示させる
請求項１に記載の表示制御装置。
【請求項３】
動画像の表示に関する指令を受け付ける動画像用受付手段
をさらに備え、
前記記録媒体は、前記静止画像データと、前記動画像の画像データである動画像データが、所定の順に複数記録されており、
前記読出手段は、前記静止画像の表示中に、前記静止画像用受付手段により、前記静止画像のスライドショー表示の指令が受け付けられた場合、その表示中の静止画像に対応する静止画像データの次の静止画像データまたは動画像データから、前記静止画像データまたは前記動画像データを連続して読み出し、
前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像、または動画像データに対応する動画像を連続して表示させることにより、スライドショー表示を行い、かつ前記静止画像とともに、前記静止画像用受付手段を表示させ、前記動画像とともに、前記静止画像用受付手段と同一の配置で前記動画像用受付手段を表示させる
請求項２に記載の表示制御装置。
【請求項４】
前記記録媒体は、前記静止画像データと、前記動画像の画像データである動画像データが、所定の順に複数記録されており、
前記読出手段は、前記静止画像の表示中に、前記静止画像用受付手段により、前記静止画像のスライドショー表示の指令が受け付けられた場合、その表示中の静止画像に対応する静止画像データの次の静止画像データまたは動画像データから、前記静止画像データまたは前記動画像データを連続して読み出し、
前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像、または動画像データに対応する動画像を連続して表示させることにより、スライドショー表示を行い、
前記静止画用受付手段は、前記動画像の表示に関する指令も受け付ける
請求項１に記載の表示制御装置。
【請求項５】
静止画像の表示に関する指令を受け付け、
前記静止画像の表示中に、前記静止画像のスライドショー表示の指令が受け付けられた場合、複数の前記静止画像の画像データである静止画像データが、所定の順に記録されている記録媒体から、その表示中の静止画像に対応する静止画像データの次の静止画像データから、前記静止画像データを連続して読み出し、
前記静止画像の表示中に、前記静止画像のスライドショー表示の指令が受け付けられた場合、その表示中の静止画像に続けて、前記記録媒体から読み出される静止画像データに対応する静止画像を連続して表示させることにより、前記スライドショー表示を行う
ステップを含む表示制御方法。
【請求項６】
静止画像の表示に関する指令を受け付け、
前記静止画像の表示中に、前記静止画像のスライドショー表示の指令が受け付けられた場合、複数の前記静止画像の画像データである静止画像データが、所定の順に記録されている記録媒体から、その表示中の静止画像に対応する静止画像データの次の静止画像データから、前記静止画像データを連続して読み出し、
前記静止画像の表示中に、前記静止画像のスライドショー表示の指令が受け付けられた場合、その表示中の静止画像に続けて、前記記録媒体から読み出される静止画像データに対応する静止画像を連続して表示させることにより、前記スライドショー表示を行う
ステップを含む処理をコンピュータに実行させるプログラム。
【発明の詳細な説明】
【技術分野】
【０００１】
本発明は、表示制御装置および表示制御方法、並びにプログラムに関し、特に、ユーザの所望の静止画像からスライドショー表示を行うことができるようにした表示制御装置および表示制御方法、並びにプログラム装置に関する。
【背景技術】
【０００２】
近年、動画像と静止画像の両方を撮影可能なビデオカメラ、即ち従来のビデオカメラとデジタルスチルカメラの双方の機能を有するビデオカメラなどが普及してきている。
【０００３】
また、撮影の結果得られた複数の静止画像を表示する場合、静止画像を所定の順に連続して表示する、いわゆるスライドショー表示を行うデジタルスチルカメラやパーソナルコンピュータなどの装置も普及してきている。このような装置において、ユーザは、メニューの項目の中から、スライドショー表示の項目を選択したり、スライドショー表示を指令するために設けられた専用のボタンを操作する（例えば、特許文献１参照）ことにより、スライドショー表示を指令する。
【０００４】
図１を参照して、メニューの項目の中からスライドショー表示の項目を選択することにより、スライドショー表示を指令する場合について説明する。
【０００５】
なお、図１の例において、画面１は、タッチパネル上に表示されているものとし、画面１に表示される静止画像は、撮影順に記録されているものとする。
【０００６】
図１の画面１には、記録されている静止画像のうち、ユーザにより表示対象として指定された静止画像が表示される。また、図１の画面１の下部には、停止ボタン１１、逆送りボタン１２、および順送りボタン１３が表示される。
【０００７】
停止ボタン１１は、画面１の表示を停止するときに、操作（押下）される。逆送りボタン１２は、画面１に表示中の静止画像を撮影する直前に撮影された静止画像を、表示対象として選択するときに、操作される。順送りボタン１３は、画面１に表示中の静止画像を撮影した直後に撮影された静止画像を、表示対象として選択するときに、操作される。
【０００８】
図１の画面１にはまた、右上部にメニュー（Menu）ボタン１４が表示されている。メニューボタン１４は、スライドショー表示の項目を含むメニューの各種の項目を選択するときに、操作される。
【０００９】
ユーザは、スライドショー表示を指令する場合、メニューボタン１４を操作し、メニューの各種の項目を選択するためのボタンを表示させる。そして、ユーザは、そのボタンの中から、スライドショー表示の項目を選択するためのボタンを操作し、スライドショー表示を指令する。
【００１０】
このように、ユーザがスライドショー表示を指令する場合、メニューボタン１４を操作した後、さらにスライドショー表示の項目を選択する必要があり、操作が煩雑である。従って、ユーザは、スライドショー表示の機能をあまり利用していなかった。
【００１１】
なお、図１では、各ボタンがタッチパネル上に表示された、即ち各ボタンがタッチパネル上に設けられたが、各ボタンは装置に設けられるようにしてもよい。
【００１２】
次に、図２を参照して、スライドショー表示を指令するために設けられた専用のボタンを操作することにより、スライドショー表示を指令する場合について説明する。
【００１３】
図２の例では、装置の筐体の所定の面３０に、スライドショーボタン３１が設けられている。このスライドショーボタン３１は、スライドショー表示を指令するときに操作される。ユーザは、スライドショー表示を指令する場合、スライドショーボタン３１を操作する。
【００１４】
なお、図２では、スライドショーボタン３１は、装置に設けられるようにしたが、タッチパネル上に設けられるようにしてもよい。
【００１５】
【特許文献１】特開２００３−２８８０６８号公報（図８）
【発明の開示】
【発明が解決しようとする課題】
【００１６】
しかしながら、ユーザによりスライドショー表示が指令された場合、上述したスライドショー表示を行う装置は、スライドショー表示の対象とする、所定の順に記憶された複数の静止画像を、先頭から順にスライドショー表示させる。
【００１７】
従って、このような装置では、所定の順に記憶された複数の静止画像を、途中から順にスライドショー表示させたいといったユーザの要望に応えることはできなかった。
【００１８】
本発明は、このような状況に鑑みてなされたものであり、ユーザの所望の静止画像からスライドショー表示を行うことができるようにするものである。
【課題を解決するための手段】
【００１９】
本発明の一側面の表示制御装置は、複数の静止画像の画像データである静止画像データが、所定の順に記録されている記録媒体から、前記静止画像データを読み出す読出手段と、前記読出手段により読み出された静止画像データに対応する静止画像を表示させる表示制御手段と、前記静止画像の表示に関する指令を受け付ける静止画像用受付手段とを備え、前記読出手段は、前記静止画像の表示中に、前記静止画像用受付手段により、前記静止画像のスライドショー表示の指令が受け付けられた場合、その表示中の静止画像に対応する静止画像データの次の静止画像データから、前記静止画像データを連続して読み出し、前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像を連続して表示させることにより、前記スライドショー表示を行う。
【００２０】
前記表示制御手段は、前記静止画像とともに、前記静止画像用受付手段を表示させることができる。
【００２１】
動画像の表示に関する指令を受け付ける動画像用受付手段をさらに設け、前記記録媒体は、前記静止画像データと、前記動画像の画像データである動画像データが、所定の順に複数記録されており、前記読出手段は、前記静止画像の表示中に、前記静止画像用受付手段により、前記静止画像のスライドショー表示の指令が受け付けられた場合、その表示中の静止画像に対応する静止画像データの次の静止画像データまたは動画像データから、前記静止画像データまたは前記動画像データを連続して読み出し、前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像、または動画像データに対応する動画像を連続して表示させることにより、スライドショー表示を行い、かつ前記静止画像とともに、前記静止画像用受付手段を表示させ、前記動画像とともに、前記静止画像用受付手段と同一の配置で前記動画像用受付手段を表示させることができる。
【００２２】
前記記録媒体は、前記静止画像データと、前記動画像の画像データである動画像データが、所定の順に複数記録されており、前記読出手段は、前記静止画像の表示中に、前記静止画像用受付手段により、前記静止画像のスライドショー表示の指令が受け付けられた場合、その表示中の静止画像に対応する静止画像データの次の静止画像データまたは動画像データから、前記静止画像データまたは前記動画像データを連続して読み出し、前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像、または動画像データに対応する動画像を連続して表示させることにより、スライドショー表示を行い、前記静止画用受付手段は、前記動画像の表示に関する指令も受け付けることができる。
【００２３】
本発明の一側面の表示制御方法は、静止画像の表示に関する指令を受け付け、前記静止画像の表示中に、前記静止画像のスライドショー表示の指令が受け付けられた場合、複数の前記静止画像の画像データである静止画像データが、所定の順に記録されている記録媒体から、その表示中の静止画像に対応する静止画像データの次の静止画像データから、前記静止画像データを連続して読み出し、前記静止画像の表示中に、前記静止画像のスライドショー表示の指令が受け付けられた場合、その表示中の静止画像に続けて、前記記録媒体から読み出される静止画像データに対応する静止画像を連続して表示させることにより、前記スライドショー表示を行うステップを含む。
【００２４】
本発明の一側面のプログラムは、静止画像の表示に関する指令を受け付け、前記静止画像の表示中に、前記静止画像のスライドショー表示の指令が受け付けられた場合、複数の前記静止画像の画像データである静止画像データが、所定の順に記録されている記録媒体から、その表示中の静止画像に対応する静止画像データの次の静止画像データから、前記静止画像データを連続して読み出し、前記静止画像の表示中に、前記静止画像のスライドショー表示の指令が受け付けられた場合、その表示中の静止画像に続けて、前記記録媒体から読み出される静止画像データに対応する静止画像を連続して表示させることにより、前記スライドショー表示を行うステップを含む処理をコンピュータに実行させる。
【００２５】
本発明の一側面においては、静止画像の表示に関する指令が受け付けられ、前記静止画像の表示中に、前記静止画像のスライドショー表示の指令が受け付けられた場合、複数の前記静止画像の画像データである静止画像データが、所定の順に記録されている記録媒体から、その表示中の静止画像に対応する静止画像データの次の静止画像データから、前記静止画像データが連続して読み出され、前記静止画像の表示中に、前記静止画像のスライドショー表示の指令が受け付けられた場合、その表示中の静止画像に続けて、前記記録媒体から読み出される静止画像データに対応する静止画像を連続して表示させることにより、前記スライドショー表示が行われる。
【発明の効果】
【００２６】
以上のように、本発明の一側面によれば、画像を表示させることができる。
【００２７】
また、本発明の一側面によれば、ユーザの所望の静止画像からスライドショー表示を行うことができる。
【発明を実施するための最良の形態】
【００２８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
本発明の一側面の表示制御装置は、第１に、
複数の静止画像の画像データである静止画像データが、所定の順に記録されている記録媒体(例えば、図４の記録部７３)から、前記静止画像データを読み出す読出手段（例えば、図４の記録読出制御部７２）と、
前記読出手段により読み出された静止画像データに対応する静止画像を表示させる表示制御手段(例えば、図４の出力制御部８６)と、
前記静止画像の表示に関する指令を受け付ける静止画像用受付手段(例えば、図６の停止ボタン１６１、逆送りボタン１６２、スライドショーボタン１６３、順送りボタン１６４、およびメニューボタン１６５からなる静止画用ボタン)と
を備え、
前記読出手段は、前記静止画像の表示中に、前記静止画像用受付手段により、前記静止画像のスライドショー表示の指令が受け付けられた場合、その表示中の静止画像に対応する静止画像データの次の静止画像データから、前記静止画像データを連続して読み出し（例えば、図９のステップＳ２１の処理）、
前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像を連続して表示させることにより、前記スライドショー表示を行う(例えば、図９のステップＳ２４の処理)。
【００３０】
本発明の一側面の表示制御装置は、第２に、
動画像の表示に関する指令を受け付ける動画像用受付手段（例えば、図７の停止ボタン１７１、巻き戻しボタン１７２、再生/一時停止ボタン１７３、早送りボタン１７４、およびメニューボタン１７５からなる動画用ボタン）
をさらに備え、
前記記録媒体は、前記静止画像データと、前記動画像の画像データである動画像データが、所定の順に複数記録されており、
前記読出手段は、前記静止画像の表示中に、前記静止画像用受付手段により、前記静止画像のスライドショー表示の指令が受け付けられた場合、その表示中の静止画像に対応する静止画像データの次の静止画像データまたは動画像データから、前記静止画像データまたは前記動画像データを連続して読み出し（例えば、図９のステップＳ２１の処理）、
前記表示制御手段は、前記静止画像の表示中に、前記静止画像用受付手段により、前記静止画像のスライドショー表示の指令が受け付けられた場合、その表示中の静止画像に続けて、前記読出手段により読み出される静止画像データに対応する静止画像、または動画像データに対応する動画像を連続して表示させることにより、スライドショー表示を行い、かつ前記静止画像とともに、前記静止画像用受付手段を表示させ、前記動画像とともに、前記静止画像用受付手段と同一の配置で前記動画像用受付手段を表示させる(例えば、図９のステップＳ２４またはＳ２６の処理)。
【００３１】
本発明の一側面の表示制御方法またはプログラムは、
静止画像の表示に関する指令を受け付け(例えば、図９のステップＳ２７)
前記静止画像の表示中に、前記静止画像のスライドショー表示の指令が受け付けられた場合、複数の前記静止画像の画像データである静止画像データが、所定の順に記録されている記録媒体から、その表示中の静止画像に対応する静止画像データの次の静止画像データから、前記静止画像データを連続して読み出し（例えば、図９のステップＳ２１）、
前記静止画像の表示中に、前記静止画像のスライドショー表示の指令が受け付けられた場合、その表示中の静止画像に続けて、前記記録媒体から読み出される静止画像データに対応する静止画像を連続して表示させることにより、前記スライドショー表示を行う(例えば、図９のステップＳ２４)
ステップを含む。
【００３２】
以下、本発明を適用した具体的な実施の形態について、図面を参照しながら詳細に説明する。
【００３３】
図３は、本発明を適用したビデオカメラ５０の外観構成例を示す斜視図である。
【００３４】
図３のビデオカメラ５０の筐体５１の正面(図中、奥側の面)には、被写体からの光を通過させるレンズ部５２が設けられている。また、筐体５１の上面には、左側にビューファインダ５３が設けられ、右側に静止画撮影ボタン５４が設けられている。ビューファインダ５３には、レンズ部５２を通過した光に対応する静止画像または動画像が表示される。また、静止画撮影ボタン５４は、被写体を静止画像として撮影するときに操作される。
【００３５】
筐体５１の左側面には、液晶ディスプレイなどよりなる表示部とタッチパネル（いずれも図示せず）が重畳して構成されるディスプレイ部５５が設けられている。液晶ディスプレイ部５５には、レンズ部５２を通過した光に対応する静止画像または動画像、操作用のボタンなどが表示される。このように、ディスプレイ部５５には、タッチパネルが重畳されるので、ユーザは、ディスプレイ部５５に表示される操作用のボタンを操作すればよく、ビデオカメラ５０は、ユーザに簡単かつ感覚的な操作を提供することができる。
【００３６】
また、筐体５１の右側面には、電源ボタン５６が設けられている。電源ボタン５６は、ビデオカメラ５０の電源をオンするときに操作される。
【００３７】
さらに、筐体５１の背面（図中、手前側の面）には、動画撮影ボタン５７が設けられている。動画撮影ボタン５７は、被写体を動画像として撮影するとき、または、その撮影を終了するときに操作される。
【００３８】
図４は、図３のビデオカメラ５０の構成例を示す図である。
【００３９】
図４のビデオカメラ５０は、カメラ部６０、記録読出処理部７０、および制御部８０から構成される。
【００４０】
カメラ部６０は、光学ブロック６１、カメラ制御部６２、信号変換器６３、撮像信号処理部６４、音声入力部６５、および音声信号処理部６６から構成される。
【００４１】
光学ブロック６１は、図３のレンズ部５２、図示せぬ絞り調整機構、フォーカス調整機構、ズーム機構、シャッタ機構、フラッシュ機構、手ぶれ補正機構などにより構成され、カメラ制御部６２により制御される。光学ブロック６１は、被写体により反射された光を信号変換器６３に供給する。
【００４２】
カメラ制御部６２は、制御部８０のCPU(Central Processing Unit)８１の制御により、光学ブロック６１を制御する。信号変換器６３は、例えばCCD（Charge Coupled Device）などの撮像素子により構成され、その撮像素子の受光面に、光学ブロック６１からの光を結像させる。信号変換器６３は、CPU８１から供給される、撮像のタイミングを表すタイミング信号に応じて、受光面に結像されている被写体の像を撮像信号に変換し、撮像信号処理部６４に供給する。
【００４３】
撮像信号処理部６４は、CPU８１の制御により、撮像信号に対してガンマ補正、AGC（Auto Gain Control）、A/D(Analog/Digital)変換などの処理を行い、その結果得られるデジタルデータである動画像または静止画像の画像データを、記録読出処理部７０に供給する。音声入力部６５は、撮影時の被写体の周囲の音声を取得し、その結果得られる音声信号を音声信号処理部６６に供給する。
【００４４】
音声信号処理部６６は、CPU８１の制御により、音声信号に対して補正、AGC、A/D変換などの処理を行い、その結果得られるデジタルデータである音声データを、記録読出処理部７０に供給する。
【００４５】
記録読出処理部７０は、符号化/復号回路７１、記録読出制御部７２、記録部７３、およびバッファメモリ７４から構成される。
【００４６】
符号化/復号回路７１は、CPU８１の制御により、カメラ部６０の撮像信号処理部６４から供給される静止画像の画像データ（以下、静止画像データ）を、JPEG（Joint Photographic Experts Group）などの所定の符号化方式で符号化する。そして、符号化/復号回路７１は、符号化の結果得られる静止画像データを、記録読出制御部７２または制御部８０のメモリカードI/F８７に供給する。
【００４７】
また、符号化/復号回路７１は、CPU８１の制御により、撮像信号処理部６４から供給される動画像の画像データ（以下、動画像データという）と音声信号処理部６６から供給される音声データとを、バッファメモリ７４に一時的に保持させながら、MPEG2(Moving Picture Experts Group phase 2)などの所定の符号化方式で符号化する。そして、符号化/復号回路７１は、符号化の結果得られる動画像データ（音声付き動画像データ）を、記録読出制御部７２またはメモリカードI/F８７に供給する。
【００４８】
なお、以下では、静止画像データと動画像データを区別する必要がない場合、それらをまとめて画像データという。また、静止画像と動画像を区別する必要がない場合、それらをまとめて画像という。
【００４９】
さらに、符号化/復号回路７１は、CPU８１の制御により、記録読出制御部７２またはメモリカードI/F８７から供給される画像データを復号し、その結果得られる静止画像データ、または動画像データと音声データを、制御部８０の出力制御部８６に供給する。また、符号化/復号回路７１は、復号の結果得られる静止画像データまたは動画像データを、CPU８１に供給する。
【００５０】
記録読出制御部７２は、CPU８１の制御により、時計回路８８から供給される現在の日時を表す時間情報を、符号化/復号回路７１からの静止画像データと動画像データ（音声付き動画像データ）に付加し、その時間情報が付加された画像データを、撮影順（時間情報が表す日時の順）に記録部７３に記録させる。さらに、記録読出制御部７２は、CPU８１の制御により、記録部７３から画像データを読み出して、符号化/復号回路７１に供給する。
【００５１】
記録部７３は、例えば、DVD（Digital Versatile Disk）、ハードディスクなどにより構成され、画像データ、CPU８１により実行されるプログラムなどを記録する。このプログラムは、例えば、メモリカード９３からインストールされる。バッファメモリ７４は、例えばSDRAM（Synchronous Dynamic Random Access Memory）などにより構成され、画像データを一時的に保持する。
【００５２】
制御部８０は、CPU８１、ROM（Read Only Memory）８３、RAM（Random Access Memory）８４、操作入力I/F(Interface)８５、出力制御部８６、メモリカードI/F８７、および時計回路８８から構成され、それぞれがバス８２を介して接続されている。なお、CPU８１、ROM８３、およびRAM８４は、マイクロコンピュータにより構成されてもよい。
【００５３】
CPU８１は、記録部７３またはROM８３に記録されているプログラムにしたがって、各部を制御し、各種の処理を実行する。具体的には、例えば、CPU８１は、後述する操作入力部９１から操作入力I/F８５を介して入力される撮影の指令に応じて、タイミング信号を生成し、バス８２を介して信号変換器６３に供給する。
【００５４】
また、CPU８１は、操作入力部９１から供給される画像の表示の指令に応じて、記録読出制御部７２と符号化/復号回路７１を制御し、その画像の画像データを記録部７３から、記録読出制御部７２、符号化/復号回路７１、およびバス８２を介して、出力制御部８６に供給させるとともに、ROM８３から、静止画像の表示に関する指令を受け付けるボタン（以下、静止画用ボタンという）を表示させるための静止画用表示データ１０１、または動画像の表示に関する指令を受け付けるボタン(以下、動画用ボタンという)を表示させるための動画用表示データ１０２を読み出し、出力制御部８６に供給する。
【００５５】
これにより、出力部９２には、静止画像とともに、静止画用ボタンが表示されたり、動画像とともに、動画用ボタンが表示される。
【００５６】
さらに、CPU８１は、符号化/復号回路７１から供給される静止画像データ、または動画像データのうちの、例えば先頭の画像データに基づいて、静止画像データであるサムネイル画像データを作成し、出力制御部８６に供給する。
【００５７】
ROM８３には、静止画用表示データ１０１、動画用表示データ１０２、CPU８１が実行するプログラムなどが記憶される。RAM８４には、CPU８１の処理により得られるデータなどが適宜記憶される。操作入力I/F８５には、操作入力部９１と出力部９２が接続される。操作入力I/F８５は、操作入力部９１と出力部９２から供給される指令を、バス８２を介してCPU８１に供給する。
【００５８】
出力制御部８６は、符号化/復号回路７１から供給される静止画像データ、または動画像データと音声データを出力部９２に供給するとともに、CPU８１から供給される静止画用表示データ１０１または動画用表示データ１０２を、出力部９２に供給する。また、出力制御部８６は、CPU８１から供給されサムネイル画像データを出力部９２に供給する。
【００５９】
メモリカードI/F８７には、必要に応じてメモリカード９３が装着される。メモリカードI/F８７は、CPU８１の制御により、符号化/復号回路７１からの画像データをメモリカード９３に記録させる。また、メモリカードI/F８７は、CPU８１の制御により、メモリカード９３から画像データを読み出し、符号化/復号回路７１に供給する。時計回路８８は、現在の日時を計時し、その日時を表す時間情報を、バス８２を介して記録読出制御部７２に供給する。
【００６０】
操作入力部９１は、図３の静止画撮影ボタン５４、電源ボタン５６、動画撮影ボタン５７などから構成される。操作入力部９１は、ユーザの操作に対応する指令を受け付け、その指令を操作入力I/F８５に供給する。
【００６１】
出力部９２は、図３のビューファインダ５３、ディスプレイ部５５、図示せぬスピーカなどにより構成される。ビューファインダ５３は、出力制御部８６から供給される静止画像データまたは動画像データに対応する画像を表示する。また、ディスプレイ部５５は、出力制御部８６からの静止画像データまたは動画像データに対応する画像とともに、静止画用表示データ１０１に対応する静止画用アイコンまたは動画用表示データ１０２に対応する動画像用アイコンを表示する。
【００６２】
また、ディスプレイ部５５は、出力制御部８６からのサムネイル画像データに対応するサムネイル画像を表示する。さらに、スピーカは、出力制御部８６から供給される音声データに対応する音声を出力する。また、ディスプレイ部５５は、ユーザのタッチパネルに対する操作を受け付け、その操作に対応する指令を操作入力I/F８５に供給する。
【００６３】
なお、図４では、静止画用表示データ１０１と動画用表示データ１０２がROM８３に記憶されるものとしたが、記録部７３に記録されてもよい。この場合、静止画用表示データ１０１と動画用表示データ１０２は、予め記録部７３に記録されているようにしてもよいし、メモリカード９３に記録されている静止画用表示データ１０１と動画用表示データ１０２が読み出されて、記録部７３に記録されるようにしてもよい。
【００６４】
また、以下では、説明の便宜上、カメラ部６０により撮影された結果得られる画像データが記録部７３に記録されるものとする。
【００６５】
図５は、図４の記録部７３に記録されている画像データに対応する画像が、ディスプレイ部５５に表示される場合の画面の例を示している。
【００６６】
図５の例では、画面１５０には、記録部７３に記録されている画像データに対応する６枚のサムネイル画像１５１−１乃至１５１−６が３（縦）×２(横)に並べてインデックス表示される。サムネイル画像１５１−１、およびサムネイル画像１５１−３乃至サムネイル画像１５１−５は、静止画像データに対応するサムネイル画像であり、サムネイル画像１５１−２とサムネイル画像１５１−６は、動画像データに対応するサムネイル画像である。
【００６７】
なお、以下では、サムネイル画像１５１−１乃至１５１−６を個々に区別する必要がない場合、それらをまとめてサムネイル画像１５１という。
【００６８】
また、サムネイル画像１５１は、そのサムネイル画像１５１に対応する画像データに付加された時間情報が表す日時の早い順、即ち撮影順に、左上から右方向に並べられ、右下のサムネイル画像１５１−６が、６枚のサムネイル画像１５１−１乃至１５１−６のうち、撮影順が最後の画像に対応するサムネイル画像１５１となるように、並べられている。
【００６９】
画面１５０にはまた、６枚のサムネイル画像１５１の左側に上ボタン１５２Ａと下ボタン１５２Ｂが表示される。上ボタン１５２Ａ（に対応するタッチパネルの位置）は、いま表示中の６枚のサムネイル画像１５１を撮影する直前に撮影（取得）された、６枚の画像に対応するサムネイル画像を、インデックス表示させるときに、操作（押下）される。下ボタン１５２Ｂは、いま表示中の６枚のサムネイル画像１５１に対応する画像を撮影した直後に撮影された、６枚の画像に対応するサムネイル画像を、インデックス表示させるときに操作される。
【００７０】
ユーザは、画面１５０にインデックス表示されている６枚のサムネイル画像１５１のうちの、所望のサムネイル画像１５１（に対応するディスプレイ部５５上の位置）を指などでタッチ(押下)する。
【００７１】
例えば、ユーザが、静止画像データに対応するサムネイル画像１５１(図６の例では、サムネイル画像１５１−１)を、そのサムネイル画像１５１を押下することにより選択した場合、図６に示す画面がディスプレイ部５５に表示される。
【００７２】
図６の画面１６０には、サムネイル画像１５１−１に対応する静止画像が表示されるとともに、静止画用ボタンが表示される。具体的には、画面１６０の下部に、停止ボタン１６１、逆送りボタン１６２、スライドショーボタン１６３、および順送りボタン１６４が、静止画用ボタンとして表示されるとともに、画面１６０の右上部に、メニュー(Menu)ボタン１６５が静止画用ボタンとして表示される。
【００７３】
停止ボタン１６１は、画面１６０の表示を停止するときに、操作される。逆送りボタン１６２は、いま画面１６０に表示中の静止画像を撮影する直前に撮影された画像を、表示対象として選択するときに、操作される。スライドショーボタン１６３は、いま画面１６０に表示中の静止画像から、撮影順に画像を連続して表示させるスライドショー表示を開始するか、またはスライドショー表示を停止するとき、操作される。即ち、スライドショーボタン１６３は、ユーザからのスライドショー表示の開始または指令を受け付ける。
【００７４】
例えば、画面１６０にサムネイル画像１５１−１に対応する静止画像が表示されており、スライドショー表示が行われていない場合に、ユーザが、スライドショーボタン１６３を操作すると、いま画面１６０に表示中のサムネイル画像１５１−１に対応する静止画像に続けて、サムネイル画像１５１−２に対応する動画像、サムネイル画像１５１−３に対応する静止画像、サムネイル画像１５１−４に対応する静止画像、サムネイル画像１５１−５に対応する静止画像、サムネイル画像１５１−６に対応する動画像・・・の順に、画像が連続して表示される。
【００７５】
順送りボタン１６４は、いま画面１６０に表示中の静止画像を撮影した直後に撮影された画像を、表示対象として選択するときに、操作される。また、メニューボタン１６５は、メニューの各種の項目を選択するときに、操作される。
【００７６】
なお、逆送りボタン１６２または順送りボタン１６４により表示対象として選択された画像が静止画像である場合、その静止画像が表示された画面１６０が表示され、動画像である場合、その動画像が表示された、後述する図７の画面１７０が表示される。
【００７７】
以上のように、ディスプレイ部５５には、静止画像とともに、スライドショーボタン１６３が表示されるので、図１に示したように、メニューボタン１４を操作した後、さらにスライドショー表示の項目を選択する必要がある従来の場合に比べて、ユーザは、スライドショー表示の開始および停止を容易に指令することができる。
【００７８】
一方、図５の画面１５０において、ユーザが、動画像データに対応するサムネイル画像１５１(図７の例では、サムネイル画像１５１−２)を、そのサムネイル画像１５１を押下することにより選択した場合、図７に示す画面がディスプレイ部５５に表示される。
【００７９】
図７の画面１７０には、サムネイル画像１５１−２に対応する動画像が表示されるとともに、動画用ボタンが表示される。具体的には、画面１７０の下部に、停止ボタン１７１、巻き戻しボタン１７２、再生/一時停止ボタン１７３、および早送りボタン１７４が、動画用ボタンとして表示されるとともに、画面１７０の右上部に、メニュー(Menu)ボタン１７５が動画用ボタンとして表示される。
【００８０】
停止ボタン１７１は、画面１７０の表示を停止するときに、操作される。巻き戻しボタン１７２は、いま画面１７０に表示中の動画像を、その時点から巻き戻し再生するときに、操作される。ここで、再生とは、動画像を、ある時点から順方向に、通常の速度で表示させることをいい、巻き戻し再生とは、ある時点から逆方向に、通常の速度より速い速度で表示させることをいう。また、後述する早送り再生とは、ある時点から順方向に、通常の速度より速い速度で表示させることをいう。
【００８１】
ユーザにより巻き戻しボタン１７２が操作され、動画像の先頭まで巻き戻し再生された後、停止ボタン１７１または再生/一時停止ボタン１７３が操作されない場合、動画像を撮影する直前に撮影された画像が表示される。具体的には、動画像を撮影する直前に撮影された画像が静止画像である場合、その静止画像が表示された画面１６０（図６）が表示され、動画像である場合、画面１７０において、その動画像が巻き戻し再生される。
【００８２】
再生/一時停止ボタン１７３は、いま画面１７０に一時停止されている動画像を、その時点から再生するとき、または、いま行われている巻き戻し再生、再生、および早送り再生を停止するときに操作される。早送りボタン１７４は、いま画面１７０に表示中の動画像を、その時点から早送り再生するときに、操作される。
【００８３】
ユーザにより再生/一時停止ボタン１７３または早送りボタン１７４が操作され、動画像の終端まで再生または早送り再生された後、停止ボタン１７１または再生/一時停止ボタン１７３が操作されない場合、動画像を撮影した直後に撮影された画像が表示される。具体的には、動画像を撮影した直後に撮影された画像が静止画像である場合、その静止画像が表示された画面１６０（図６）が表示され、動画像である場合、画面１７０において、その動画像が再生または早送り再生される。
【００８４】
また、メニューボタン１７５は、メニューの各種の項目を選択するときに、操作される。
【００８５】
なお、図６に示した静止画用ボタンの配置と、図７に示した動画用ボタンの配置は、同一となっている。即ち、停止ボタン１６１と停止ボタン１７１、逆送りボタン１６２と巻き戻しボタン１７２、スライドショーボタン１６３と再生/一時停止ボタン１７３、順送りボタン１６４と早送りボタン１７４、メニューボタン１６５とメニューボタン１７５が、それぞれディスプレイ部５５の画面上で同一の位置に配置されるようになっている。
【００８６】
これにより、静止画像の表示時と動画像の表示時の、ユーザの操作感を同一にすることができる。その結果、ユーザの操作性を向上させることができる。
【００８７】
次に、図８を参照して、図４のビデオカメラ５０が、記録部７３に記録されている画像を表示する表示処理について説明する。この表示処理は、例えば、図５の画面１５０において、ユーザがサムネイル画像１５１のいずれか１つを押下することにより、サムネイル画像１５１を選択したとき、開始される。
【００８８】
ステップＳ１において、CPU８１は、ディスプレイ部５５から操作入力I/F８５を介して供給される、ユーザにより選択されたサムネイル画像１５１に対応する画像の表示の指令に応じて、その画像が静止画像であるかどうかを判定する。
【００８９】
ステップＳ１において、ユーザにより選択されたサムネイル画像１５１に対応する画像が静止画像であると判定された場合、ステップＳ２に進み、記録読出制御部７２は、CPU８１の制御により、記録部７３から、その静止画像の静止画像データを読み出し、符号化/復号回路７１を介して出力制御部８６に供給する。
【００９０】
ステップＳ２の処理後は、ステップＳ３に進み、CPU８１は、ROM８３から静止画用表示データ１０１を読み出し、出力制御部８６に供給して、ステップＳ４に進む。ステップＳ４において、出力制御部８６は、符号化/復号回路７１から供給される静止画像データと、CPU８１から供給される静止画用表示データ１０１をディスプレイ部５５に供給し、静止画像とともに、静止画用ボタンを、ディスプレイ部５５に表示させる。その結果、ディスプレイ部５５には、図６に示した画面１６０が表示される。
【００９１】
一方、ステップＳ１において、ユーザにより選択されたサムネイル画像１５１に対応する画像が静止画像ではない、即ち、ユーザにより選択されたサムネイル画像１５１に対応する画像は動画像であると判定された場合、ステップＳ５に進み、記録読出制御部７２は、CPU８１の制御により、記録部７３から、その動画像の動画像データを読み出し、符号化/復号回路７１を介して出力制御部８６に供給する。
【００９２】
ステップＳ５の処理後は、ステップＳ６に進み、CPU８１は、ROM８３から動画用表示データ１０２を読み出し、出力制御部８６に供給して、ステップＳ７に進む。ステップＳ７において、出力制御部８６は、符号化/復号回路７１から供給される動画像データと、CPU８１から供給される動画用表示データ１０２とをディスプレイ部５５に供給し、動画像を再生するとともに、動画用ボタンを、ディスプレイ部５５に表示させる。その結果、ディスプレイ部５５には、図７に示した画面１７０が表示される。
【００９３】
次に、図９を参照して、図４のビデオカメラ５０がスライドショー表示を行うスライドショー表示処理について説明する。このスライドショー表示処理は、例えば、スライドショー表示が開始されていない場合に、図６の画面１６０において、ユーザによりスライドショーボタン１６３が操作されたとき、開始される。
【００９４】
ステップＳ２１において、CPU８１は、ディスプレイ部５５から操作入力I/F８５を介して供給される、ユーザによるスライドショーボタン１６３の操作に対応するスライドショー表示の指令に応じて、記録読出制御部７２を制御し、いま画面１６０に表示中の静止画像の静止画像データの、次の画像データを記録部７３から読み出し、その画像データを符号化/復号回路７１を介して出力制御部８６に供給する。
【００９５】
ステップＳ２１の処理後は、ステップＳ２２に進み、CPU８１は、ステップＳ２１で読み出された画像データが静止画像データであるかどうかを判定し、その画像データが静止画像データであると判定された場合、ステップＳ２３に進む。
【００９６】
ステップＳ２３において、CPU８１は、ROM８３から静止画用表示データ１０１を読み出し、出力制御部８６に供給して、ステップＳ２４に進む。ステップＳ２４において、出力制御部８６は、符号化/復号回路７１から供給される静止画像データと、CPU８１から供給される静止画用表示データ１０１とをディスプレイ部５５に供給し、静止画像とともに、静止画用ボタンを、ディスプレイ部５５に表示させる。その結果、ディスプレイ部５５には、図６に示した画面１６０が表示される。
【００９７】
一方、ステップＳ２２において、読み出された画像データが静止画像データではない、即ち読み出された画像データが動画像データであると判定された場合、ステップＳ２５に進み、CPU８１は、ROM８３から動画用表示データ１０２を読み出し、出力制御部８６に供給して、ステップＳ２６に進む。
【００９８】
ステップＳ２６において、出力制御部８６は、符号化/復号回路７１から供給される動画像データと、CPU８１から供給される動画用表示データ１０２とをディスプレイ部５５に供給し、動画像を再生するとともに、動画用ボタンを、ディスプレイ部５５に表示させる。その結果、ディスプレイ部５５には、図７に示した画面１７０が表示される。
【００９９】
ステップＳ２４またはステップＳ２６の処理後は、ステップＳ２７に進み、ディスプレイ部５５は、スライドショー表示を停止するかどうか、即ち停止ボタン１６１または停止ボタン１７１、もしくはスライドショーボタン１６３または再生/一時停止ボタン１７３が操作されたかどうかを判定し、これらのいずれかが操作されたと判定した場合、即ちスライドショー表示を停止すると判定した場合、処理は終了する。なお、停止ボタン１６１または停止ボタン１７１が操作されたと判定された場合、スライドショー表示処理の終了後に、出力制御部８６は、画面１６０または画面１７０の表示を停止する。
【０１００】
一方、ステップＳ２７において、スライドショー表示を停止しないと判定された場合、ステップＳ２８に進み、CPU８１は、記録読出制御部７２を制御し、直前のステップＳ２１で読み出された画像データの次の画像データが、記録部７３に記録されているかどうかを判定する。
【０１０１】
ステップＳ２８において、次の画像データが記録されていると判定された場合、ステップＳ２１に戻り、上述した処理を繰り返す。その結果、静止画像と動画像の両方が、ディスプレイ部５５にスライドショー表示される。
【０１０２】
また、ステップＳ２８において、次の画像データが記録されていないと判定された場合、即ちいま表示（再生）されている画像が最後の撮影の結果得られた画像である場合、処理は終了する。
【０１０３】
以上のように、ビデオカメラ５０は、スライドショーボタン１６３が操作された場合に、表示中の静止画像から、スライドショー表示を開始するので、ユーザは、所望の静止画像の表示中にスライドショーボタン１６３を操作することにより、所望の静止画像からスライドショー表示を行うことができる。また、ユーザは、動画像の再生の指令と同様の感覚で、スライドショー表示を指令することができる。
【０１０４】
次に、図１０乃至図１４を参照して、本発明を適用したビデオカメラの他の実施の形態について説明する。
【０１０５】
図１０は、本発明を適用したビデオカメラの他の実施の形態の構成例を示すブロック図である。
【０１０６】
図１０のビデオカメラ２００は、カメラ部６０、記録読出処理部７０、および制御部２１０から構成されており、ディスプレイ部５５に表示される画像が静止画像であるか、または動画像であるかにかかわらず、画像とともに、静止画像と動画像の表示に関する指令を受け付ける共通のボタン(以下、共通ボタンという)をディスプレイ部５５に表示させる。なお、図４と同一のものには同一の符号を付してあり、説明は繰り返しになるので省略する。
【０１０７】
図１０の制御部２１０には、図４の制御部８０のROM８３の代わりに、ROM２２１が設けられている。
【０１０８】
ROM２２１には、共通ボタンを表示させるための共通表示データ２２１、CPU８１が実行するプログラムなどが記憶される。
【０１０９】
次に、図１１を参照して、図１０のディスプレイ部５５に表示された図５の画面１５０において、ユーザにより、所望のサムネイル画像１５１が押下された場合に、ディスプレイ部５５に表示される画面の例について説明する。
【０１１０】
図１１の画面２３０には、サムネイル画像１５１に対応する画像が表示されるとともに、共通ボタンが表示される。具体的には、画面２３０の下部に、停止ボタン２３１、逆送り/巻き戻しボタン２３２、スライドショー/再生/一時停止ボタン２３３、および順送り/早送りボタン２３４が、共通ボタンとして表示されるとともに、画面２３０の右上部に、メニュー(Menu)ボタン２３５が共通ボタンとして表示される。
【０１１１】
停止ボタン２３１は、図６の停止ボタン１６１と図７の停止ボタン１７１の両方の機能を備えており、逆送り/巻き戻しボタン２３２は、逆送りボタン１６２と巻き戻しボタン１７２の両方の機能を備えている。また、スライドショー/再生/一時停止ボタン２３３は、スライドショーボタン１６３と再生/一時停止ボタン１７３の両方の機能を備えており、順送り/早送りボタン２３４は、順送りボタン１６４と早送りボタン１７４の両方の機能を備えている。さらに、メニューボタン２３５は、メニューボタン１６５と１７５の両方の機能を備えている。
【０１１２】
なお、上述したように、ディスプレイ部５５には、静止画像と動画像の表示に関する指令を受け付ける共通ボタンが、画像とともに表示されるので、ユーザにより共通ボタンが操作された場合、CPU８１は、ディスプレイ部５５から供給される、その操作に対応する指令に応じて、共通ボタンとともに表示されている画像が静止画像であるか、または動画像であるかを判定し、その判定結果に基づいて、指令に対応する処理を行う。
【０１１３】
次に、図１２を参照して、図１０のビデオカメラ２００が、記録部７３に記録されている画像を表示する表示処理について説明する。この表示処理は、例えば、図５の画面１５０において、ユーザがサムネイル画像１５１のいずれか１つを押下することにより、サムネイル画像１５１を選択したとき、開始される。
【０１１４】
ステップＳ４１において、記録読出制御部７２は、CPU８１の制御により、記録部７３から、ユーザにより選択されたサムネイル画像１５１に対応する画像の画像データを読み出し、その画像データを、符号化/復号回路７１を介して出力制御部８６に供給する。
【０１１５】
ステップＳ４１の処理後は、ステップＳ４２に進み、CPU８１は、ROM８３から共通表示データ２２１を読み出し、出力制御部８６に供給して、ステップＳ４３に進む。ステップＳ４３において、出力制御部８６は、符号化/復号回路７１から供給される画像データと、CPU８１から供給される共通表示データ２２１とをディスプレイ部５５に供給し、画像とともに、共通ボタンをディスプレイ部５５に表示させる。その結果、ディスプレイ部５５には、図１１に示した画面１６０が表示される。
【０１１６】
次に、図１３を参照して、図１０のビデオカメラ２００がスライドショー表示を行うスライドショー表示処理について説明する。このスライドショー表示処理は、例えば、スライドショー表示が開始されていない場合に、図１１の画面２３０において、静止画像の表示中に、ユーザによりスライドショー/再生/一時停止ボタン２３３が操作されたとき、開始される。
【０１１７】
ステップＳ６１において、CPU８１は、ディスプレイ部５５から操作入力I/F８５を介して供給される、ユーザによるスライドショー/再生/一時停止ボタン２３３の操作に対応するスライドショー表示の指令に応じて、記録読出制御部７２を制御し、いま画面２３０に表示中の静止画像の静止画像データの、次の画像データを記録部７３から読み出し、その画像データを符号化/復号回路７１を介して出力制御部８６に供給する。
【０１１８】
ステップＳ６１の処理後は、ステップＳ６２に進み、CPU８１は、ROM２１１から共通表示データ２２１を読み出し、出力制御部８６に供給して、ステップＳ６３に進む。ステップＳ６３において、出力制御部８６は、符号化/復号回路７１から供給される画像データと、CPU８１から供給される共通表示データ２２１とを、ディスプレイ部５５に供給し、画像とともに、共通ボタンを、ディスプレイ部５５に表示させる。その結果、ディスプレイ部５５には、図１１に示した画面２３０が表示される。
【０１１９】
ステップＳ６３の処理後は、ステップＳ６４に進み、ディスプレイ部５５は、スライドショー表示を停止するかどうか、即ち停止ボタン２３０またはスライドショー/再生/一時停止ボタン２３３が操作されたかどうかを判定し、これらのいずれかが操作されたと判定した場合、即ちスライドショー表示を停止すると判定した場合、処理は終了する。なお、停止ボタン２３０が操作されたと判定された場合、スライドショー表示処理の終了後に、出力制御部８６は、画面２３０の表示を停止する。
【０１２０】
一方、ステップＳ６４において、スライドショー表示を停止しないと判定された場合、ステップＳ６５に進み、CPU８１は、記録読出制御部７２を制御し、直前のステップＳ６１で読み出された画像データの次の画像データが、記録部７３に記録されているかどうかを判定する。
【０１２１】
ステップＳ６５において、次の画像データが記録されていると判定された場合、ステップＳ６１に戻り、上述した処理を繰り返す。
【０１２２】
また、ステップＳ６５において、次の画像データが記録されていないと判定された場合、処理は終了する。
【０１２３】
なお、上述した説明では、１つの画像データに対応する画像の表示時に、その画像とともに、共通ボタンが表示されたが、図１４に示すように、インデックス表示時に、画像とともに、共通ボタンが表示されるようにしてもよい。
【０１２４】
図１４の画面２５０は、図５の画面１５０に、カーソル２５１と共通ボタンを表示することにより構成される。
【０１２５】
即ち、図１４の画面２５０では、６枚のサムネイル画像１５１のうち、ユーザにより選択されたサムネイル画像１５１に、カーソル２５１が配置される。
【０１２６】
また、図１４の画面２５０では、共通ボタンとして、停止ボタン２５２、逆移動ボタン２５３、スライドショーボタン２５４、および順移動ボタン２５５が、共通ボタンとして表示される。
【０１２７】
停止ボタン２５２は、画面２５０の表示を停止するときに、操作される。逆移動ボタン２５３は、いまカーソル２５１が配置されている、サムネイル画像１５１に対応する画像を撮影する直前に撮影された画像のサムネイル画像１５１に、カーソル２５１を移動させるとき、操作される。例えば、カーソル２５１がサムネイル画像１５１−２に配置されている場合に、ユーザにより逆移動ボタン２５３が操作されると、カーソル２５１は、サムネイル画像１５１−１に配置される。
【０１２８】
スライドショーボタン２５４は、いまカーソル２５１が配置されている画像１５１からのスライドショー表示を指令するときに、操作される。順移動ボタン２５５は、いまカーソル２５１が配置されている、サムネイル画像１５１に対応する画像を撮影した直後に撮影された、画像のサムネイル画像１５１に、カーソル２５１を移動させるとき、操作される。例えば、カーソル２５１がサムネイル画像１５１−２に配置されている場合、ユーザにより順移動ボタン２５５が操作されると、カーソル２５１にサムネイル画像１５１−３が配置される。
【０１２９】
以上のように、ビデオカメラ２００は、静止画用ボタンと動画用ボタンの両方の機能を備える共有ボタンを表示させるので、ROM２１１に記憶させる、ボタンを表示させるための表示データのデータ量を削減することができる。
【０１３０】
また、ビデオカメラ２００は、ユーザにより選択されたサムネイル画像１５１に対応する画像が静止画像であるかどうかを判定する必要がなくなり、表示処理の処理速度を向上させることができる。
【０１３１】
なお、上述した説明では、ディスプレイ部５５がタッチパネルを用いて構成されるものとしたが、タッチパネルは必須の構成要件ではない。即ち、例えば、ディスプレイ部５５に表示される操作用のボタンを、操作入力部９１を用いて操作するようにしてもよい。
【０１３２】
また、上述した説明では、ディスプレイ部５５上に各種のボタン（動画用ボタン、静止画用ボタン、共通ボタン）を表示させることにより、ビデオカメラ５０（２００）に、各種のボタンが設けられたが、各種のボタンは、ビデオカメラ５０（２００）の筐体５１に設けられるようにしてもよい。
【０１３３】
共通ボタンが筐体５１に設けられる場合、動画用ボタンと静止画用ボタンが筐体５１に設けられる場合に比べて、筐体５１に設けられるボタンの数を削減することができる。また、ディスプレイ部５５上に各種のボタンが設けられる場合、筐体５１に設けられる場合に比べて、ビデオカメラ５０の製造コストを削減することができる。
【０１３４】
さらに、上述した説明では、記録部７３に記録されている画像データに対応する画像をディスプレイ部５５に表示させるようにしたが、メモリカード９３に記録されている画像データに対応する画像を、ディスプレイ部５５に表示させる場合においても、同様の処理が行われる。
【０１３５】
また、記録部７３とメモリカード９３の両方に記録されている画像データに対応する画像を、ディスプレイ部５５に表示させるようにしてもよい。この場合、CPU８１は、記録部７３とメモリカード９３の両方に記録されている画像データを、その画像データに付加された時刻情報が表す日時順、即ち撮影順にソートする。その結果、出力部９２は、記録部７３とメモリカード９３の両方に記録されている画像データに対応する画像を、撮影順に表示することができる。
【０１３６】
また、上述した説明では、図５の画面１５０において、動画像に対応するサムネイル画像１５１が選択された場合、図７の画面１７０または図１１の画面２３０において動画像が再生されるようにしたが、動画像の先頭の画像だけが表示されるようにしてもよい。
【０１３７】
本発明は、ビデオカメラに限らず、例えば、デジタルスチルカメラ、パーソナルコンピュータ、携帯電話機などの画像を表示する機能を有する装置に適用することができる。
【０１３８】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３９】
また、本発明の実施の形態は、上述した実施の形態に限定されるものではなく、本発明の要旨を逸脱しない範囲において種々の変更が可能である。
【図面の簡単な説明】
【０１４０】
【図１】従来のスライドショー表示の指令方法の一例について説明する図である。
【図２】従来のスライドショー表示の指令方法の他の一例について説明する図である。
【図３】本発明を適用したビデオカメラの外観構成例を示す斜視図である。
【図４】図３のビデオカメラの構成例を示す図である。
【図５】インデックス表示の画面の例を示す図である。
【図６】静止画像を表示する画面の例を示す図である。
【図７】動画像を表示する画面の例を示す図である。
【図８】図４のビデオカメラの表示処理について説明するフローチャートである。
【図９】図４のビデオカメラのスライドショー表示処理について説明するフローチャートである。
【図１０】本発明を適用したビデオカメラの他の実施の形態の構成例を示すブロック図である。
【図１１】図１０のビデオカメラにおいて画像を表示する画面の例を示す図である。
【図１２】図１０のビデオカメラの表示処理について説明するフローチャートである。
【図１３】図１０のビデオカメラのスライドショー表示処理について説明するフローチャートである。
【図１４】図１０のビデオカメラにおいて画像を表示する画面の他の例を示す図である。
【符号の説明】
【０１４１】
５０  ビデオカメラ，  ５３  ビューファインダ，  ５５  ディスプレイ部，  ７０記録読出処理部，  ７２  記録読出制御部，  ７３  記録部，  ８１  CPU,  ８３  ROM，  ８４  RAM，  ８６  出力制御部，  ９２  出力部，  ９３  メモリカード，  １０１  静止画用表示データ，  １０２  動画用表示データ，  １６１  停止ボタン，  １６２  逆送りボタン，  １６３  スライドショーボタン，  １６４  順送りボタン，  １６５  メニューボタン，  １７１  停止ボタン，  １７２  巻き戻しボタン，  １７３  再生/一時停止ボタン，  １７４  早送りボタン，  １７５  メニューボタン，  ２１１  ROM,  ２２１  共通表示データ，  ２３１  停止ボタン，  ２３２  逆送り/巻き戻しボタン，  ２３３  スライドショー/再生/一時停止ボタン，  ２３４  順送り/早送りボタン，  ２３５  メニューボタン
【図１】
2007178839.tif 000003
【図２】
2007178839.tif 000004
【図３】
2007178839.tif 000005
【図４】
2007178839.tif 000006
【図５】
2007178839.tif 000007
【図６】
2007178839.tif 000008
【図７】
2007178839.tif 000009
【図８】
2007178839.tif 000010
【図９】
2007178839.tif 000011
【図１０】
2007178839.tif 000012
【図１１】
2007178839.tif 000013
【図１２】
2007178839.tif 000014
【図１３】
2007178839.tif 000015
【図１４】
2007178839.tif 000016